(57)【要約】【課題】エレベータのコンペン索に非接触で油を塗布して、破損や摩耗、あるいは騒音が発生するような恐れのないエレベータのコンペン索給油装置を提供する。【解決手段】エレベータの昇降路のピット部１４にはゲート１５が設けられ、コンペン索１２がこのゲート１５の内側を走行移動する。ゲート１５にはコンペン索１２と離間対向してノズル１９が設けられている。ゲート１５の近傍には、ノズル１９に通じるポンプ部２２を有する給油器２０が設けられ、ポンプ部２２を作動させるコントローラ２７が昇降路上方部の機械室に制御盤１０と並んで設置されている。エレベータの保守点検時などにおいて、乗りかご５が最上階から最下階に下降してコンペン索１２が走行移動する際に、コントローラ２７を操作し、ポンプ部２２を作動させてノズル１９からコンペン索１２に向けて油を噴射し、コンペン索１２に油を塗布する。【選択図】    図２
2010064863.tif 000002
【特許請求の範囲】
【請求項１】
エレベータの乗りかごとカウンターウエイトとの間に掛け渡されて昇降路内に吊り下げられたコンペン索と、
前記コンペン索と離間対向して設けられたノズルと、
前記ノズルを通して前記コンペン索に油を噴射させるポンプ部を有する給油器と、
を具備することを特徴とするエレベータのコンペン索給油装置。
【請求項２】
前記給油器のポンプ部を作動させるコントローラを備え、このコントローラがエレベータの運転を制御する制御盤の近傍に配設されていることを特徴とする請求項１に記載のエレベータのコンペン索給油装置。
【発明の詳細な説明】
【技術分野】
【０００１】
この発明は、エレベータの乗りかごとカウンターウエイトとの間に掛け渡されるコンペン索に油を供給するエレベータのコンペン索給油装置に関する。
【背景技術】
【０００２】
ロープ式のエレベータは、昇降路の上方部の機械室あるいは昇降路内に設けられた巻上機にメインロープが巻き掛けられ、このメインロープの一端部に乗りかごが、他端部にカウンターウエイトがそれぞれ連結され、このメインロープを介して乗りかごおよびカウンターウエイトが昇降路内に吊り下げられ、これら乗りかごとカウンターウエイトとが巻上機による駆動で互いに反対方向に向って上下に昇降移動する。
乗りかごの下端部とカウンターウエイトの下端部との間にはコンペン索が掛け渡され、このコンペン索が昇降路内にＵ字状に垂れ下げられている。巻上機の駆動で乗りかごとカウンターウエイトとが互いに反対方向に昇降するときに、乗りかご側とカウンターウエイト側との間で生じるメインロープの長さの変化に伴う重量バランスの不均衡が前記コンペン索により補償される。
【０００３】
一般に、コンペン索はチェーンからなり、乗りかご及びカウンターウエイトが上下に移動するときに擦れ音が発生し、騒音の原因となる。このため、コンペン索には潤滑及び防錆を目的とする油が塗布される。
【０００４】
特開２００６−２０６１９９公報には、コンペン索に油を自動的に供給する給油装置が示されている。この給油装置は、昇降路内に設置された枠体を備え、この枠体の内周部に油含浸体が設けられている。コンペン索は枠体の内側に通され、このコンペン索がエレベータの運転に応じて前後左右に揺動するときに、その動きで油含浸体に接触することでコンペン索に油が塗布される。
【特許文献１】特開２００６−２０６１９９公報
【発明の開示】
【発明が解決しようとする課題】
【０００５】
しかしながら、コンペン索は高質量であり、したがって特開２００６−２０６１９９公報の給油装置のように、コンペン索の揺動でそのコンペン索を枠体の内側の油含浸体に接触させて油を塗布する構造では、その揺動でコンペン索が枠体の油含浸体に接触するときに、枠体に大きな衝撃が加わり、枠体を相当堅牢な構造に構成しない限り、枠体が早期に破損し、またその衝撃による騒音も生じ、さらにコンペン索が油含浸体と直接接触するためその油含浸体が早期に摩耗し、交換を頻繁に行なわなければならない難点がある。
この発明はこのような点に着目してなされたもので、その目的とするところは、コンペン索に非接触で油を塗布して、破損や摩耗、あるいは騒音が発生するような恐れのないエレベータのコンペン索給油装置を提供することにある。
【課題を解決するための手段】
【０００６】
このような目的を達成するために、請求項１の発明は、エレベータの乗りかごとカウンターウエイトとの間に掛け渡されて昇降路内に吊り下げられたコンペン索と、前記コンペン索と離間対向して設けられたノズルと、前記ノズルを通して前記コンペン索に油を噴射させるポンプ部を有する給油器とを具備することを特徴としている。
請求項２の発明は、前記給油器のポンプ部を作動させるコントローラを備え、このコントローラがエレベータの運転を制御する制御盤の近傍に配設されていることを特徴としている。
【発明の効果】
【０００７】
この発明の給油装置によれば、コンペン索に非接触で油を塗布することができ、したがって接触物の破損や摩耗という問題が皆無で、また騒音が発生する恐れもない。
【発明を実施するための最良の形態】
【０００８】
以下、この発明の実施の形態について図面を参照して説明する。
【０００９】
図１にはエレベータの全体の構成を示してある。建屋の昇降路１の上部には機械室２が設けられ、この機械室２内に巻上機３が設置されている。巻上機３にはメインロープ４が巻き掛けられ、このメインロープ４が昇降路１内に引き落とされ、その一端部に乗りかご５が、他端部にカウンターウエイト６がそれぞれ連結され、これら乗りかご５及びカウンターウエイト６が昇降路１内に吊り下げられている。なお、７はそらせシーブである。
【００１０】
機械室２内には、エレベータの運行を制御する制御盤１０が設置され、この制御盤１０により巻上機３が制御され、この巻上機３の回転駆動で乗りかご５とカウンターウエイト６とが昇降路１内で互いに反対方向に向って上下に昇降移動する。
乗りかご５の下端部とカウンターウエイト６の下端部との間にはコンペン索１２が掛け渡され、このコンペン索１２が昇降路１内にＵ字状に垂れ下げられている。コンペン索１２は、例えばチェーンからなり、乗りかご５とカウンターウエイト６とが互いに反対方向に昇降移動するときに、乗りかご５側とカウンターウエイト６側との間で生じるメインロープの長さの変化に伴う重量バランスの不均衡がこのコンペン索１２により補償される。なお、コンペン索１２としてワイヤロープが用いられることもある。
昇降路１の最下部のピット部１４にはゲート１５が設けられている。このゲート１５は、図２に示すように、一対の支柱パイプ１６と、これら支柱パイプ１６の上部間に水平に掛け渡された張りパイプ１７とからなり、このゲート１５の内側にコンペン索１２のＵ字状部分が通されている。コンペン索１２とゲート１５との間には、コンペン索１２がゲート１５に接触しない程度の十分な距離が保たれている。
【００１１】
ゲート１５における張りパイプ１７の中間部には、ノズル１９が取り付けられている。このノズル１９はコンペン索１２のＵ字状部分に向いて下方に突出している。ゲート１５の近傍には給油器２０が設置されている。この給油器２０は、油を貯留するタンク部２１と、このタンク部２１内の油を吐出するポンプ部２２とを有し、ポンプ部２２からは送油管２３が導出され、この送油管２３がゲート１５の支柱パイプ１６及び張りパイプ１７の内部を通して前記ノズル１９に接続されている。タンク部２１には補給口２４が形成され、この補給口２４にキャップ２５が脱着可能に装着されている。
前記機械室２には、制御盤１０と隣接して給油器２０のポンプ部２２を制御するコントローラ２７が設けられている。このコントローラ２７はケーブル２８を介してポンプ部２２に接続されている。また、ピット部１４の床上には、前記ノズル１９と対向して廃油皿３０が設置されている。
【００１２】
次に、本実施形態の作用について説明する。
【００１３】
エレベータの定期点検時などには、保守作業員が機械室２内に入り、制御盤１０を手動で制御して乗りかご５を最上階からゆっくり下降させて最下階のピット部１４の近くにまで移動させ、乗りかご５及びカウンターウエイト６の状況を点検する。
【００１４】
この際、作業員は制御盤１０の脇のコントローラ２７を操作してコンペン索１２に対する給油作業を行なう。すなわち、乗りかご５が最上階からゆっくり下降する際に、機械室２の作業員がコントローラ２７を操作して給油器２０のポンプ部２２を作動させる。ポンプ部２２の作動により、タンク部２１内に油が吸入されるとともに、送油管２３を通してノズル１９に送られ、このノズル１９からゲート１５の内側を通るコンペン索１２に向けて油が噴射され、コンペン索１２に油が塗布される。
コンペン索１２は、乗りかご５の下降に応じてゲート１５の内側を順次走行移動するから、ノズル１９から噴射される油がコンペン索１２の一端部から他端部に渡るほぼ全長区間の部分に均等的に塗布される。乗りかご１５が最下階のピット部１４の近くにまで下降したときには、機械室２内の作業員による操作で乗りかご１５の移動が停止するように制御され、またコントローラ２７を介してポンプ部２２の作動が停止するように制御される。
【００１５】
なお、ノズル１９から噴射された油の余剰分は、廃油皿３０内に滴下し、貯留される。また、タンク部２１内の油が減少したときには、補給口２４からキャップ２５を外し、補給口２４を通してタンク部２１内に油を補給する。補給後には、補給口２４をキャップ２５で閉じる。
コンペン索１２に対する給油の作業は、乗りかご５を最上階から最下階に移動させるときに行なう場合に限らず、乗りかご５を最下階から最上階に移動させるときなどに行なう場合であってもよい。
また、給油器２０のポンプ部２２を作動させるコントローラ２７は、エレベータの保守点検時に作業員が手動で操作する場合に限らず、例えばタイマー機構を用いて、エレベータの通常運転時に定期的に操作してポンプ部２２を作動させるような場合であってもよい。
以上のように、本実施形態の給油装置によれば、コンペン索１２に非接触で油を塗布することができ、したがって接触物の破損や摩耗という問題が皆無で、また騒音の発生の恐れもなく、効率的にコンペン索１２に油を給油することができる。
【図面の簡単な説明】
【００１６】
【図１】この発明の一実施形態に係る給油装置を備えるエレベータの全体の構成を示す構成図。
【図２】その給油装置の構成を示す構成図。
【符号の説明】
【００１７】
１…昇降路
２…機械室
３…巻上機
４…メインロープ
６…カウンターウエイト
１０…制御盤
１２…コンペン索
１４…ピット部
１５…ゲート
１６…支柱パイプ
１７…張りパイプ
１９…ノズル
２０…給油器
２１…タンク部
２２…ポンプ部
２３…送油管
２４…補給口
２５…キャップ
２７…コントローラ
２８…ケーブル
３０…廃油皿
【図１】
2010064863.tif 000003
【図２】
2010064863.tif 000004